(57)【特許請求の範囲】
【請求項１】
ワイヤレス通信のための、ユーザ機器（ＵＥ）によって実行される方法であって、
前記ＵＥの第２の無線アクセス技術（ＲＡＴ）との共存問題が存在すると測定される前記ＵＥの第１のＲＡＴを識別することと、
前記第１のＲＡＴの少なくとも１つの現在利用されているリソースの前記共存問題を示す情報を含むハンドオーバ要求メッセージを基地局にサブミットすることであって、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、サブミットすることと
を備える方法。
【請求項２】
前記情報が、少なくとも１つの所望の将来のリソースの指示を含む、請求項１に記載の方法。
【請求項３】
前記ハンドオーバ要求メッセージが、周波数間ハンドオーバと無線アクセス技術間（ＲＡＴ間）ハンドオーバとのうちの少なくとも１つについての要求を備える、請求項１に記載の方法。
【請求項４】
前記ハンドオーバ要求メッセージは、さらに、ホワイトリストにおける通信リソースにハンドオーバするようにとの要求を備える、請求項１に記載の方法。
【請求項５】
前の共存問題がもはや存在しないことを示す第２のメッセージをサブミットすることをさらに備える、請求項１に記載の方法。
【請求項６】
ワイヤレス通信システムにおいて動作可能な装置であって、
ユーザ機器（ＵＥ）の第２の無線アクセス技術（ＲＡＴ）との共存問題が存在すると測定される前記ＵＥの第１のＲＡＴを識別するための手段と、
前記第１のＲＡＴの少なくとも１つの現在利用されているリソースの前記共存問題を示す情報を含むハンドオーバ要求メッセージを基地局にサブミットするための手段であって、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、サブミットするための手段と
を備える装置。
【請求項７】
前記情報が、少なくとも１つの所望の将来のリソースの指示を含む、請求項６に記載の装置。
【請求項８】
前記ハンドオーバ要求メッセージが、周波数間ハンドオーバと無線アクセス技術間（ＲＡＴ間）ハンドオーバとのうちの少なくとも１つについての要求を備える、請求項６に記載の装置。
【請求項９】
ユーザ機器（ＵＥ）の第２の無線アクセス技術（ＲＡＴ）との共存問題が存在すると測定される前記ＵＥの第１のＲＡＴを識別するためのコードと、
前記第１のＲＡＴの少なくとも１つの現在利用されているリソースの前記共存問題を示す情報を含むハンドオーバ要求メッセージを基地局にサブミットするためのコードであって、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、サブミットするためのコードと
を記憶するコンピュータ可読記憶媒体。
【請求項１０】
前記情報が、少なくとも１つの所望の将来のリソースの指示を含む、請求項９に記載のコンピュータ可読記憶媒体。
【請求項１１】
前記ハンドオーバ要求メッセージが、周波数間ハンドオーバと無線アクセス技術間（ＲＡＴ間）ハンドオーバとのうちの少なくとも１つについての要求を備える、請求項９に記載のコンピュータ可読記憶媒体。
【請求項１２】
前の共存問題がもはや存在しないことを示す第２のメッセージを送るためのコードをさらに備える、請求項９に記載のコンピュータ可読記憶媒体。
【請求項１３】
ワイヤレス通信システムにおいて動作可能な装置であって、
ユーザ機器（ＵＥ）の第２の無線アクセス技術（ＲＡＴ）との共存問題が存在すると測定される前記ＵＥの第１のＲＡＴを識別することと、
前記第１のＲＡＴの少なくとも１つの現在利用されているリソースの前記共存問題を示す情報を含むハンドオーバ要求メッセージを基地局にサブミットすることとを行うように構成され、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、プロセッサと、
前記プロセッサに結合された、データを記憶するためのメモリと
を備える装置。
【請求項１４】
前記情報が、少なくとも１つの所望の将来のリソースの指示を含む、請求項１３に記載の装置。
【請求項１５】
前記ハンドオーバ要求メッセージが、周波数間ハンドオーバと無線アクセス技術間（ＲＡＴ間）ハンドオーバとのうちの少なくとも１つについての要求を備える、請求項１３に記載の装置。
【請求項１６】
前記プロセッサは、前の共存問題がもはや存在しないことを示す第２のメッセージを送るようにさらに構成された、請求項１３に記載の装置。
【請求項１７】
前記ハンドオーバ要求メッセージは、さらに、ホワイトリストにおける通信リソースにハンドオーバするようにとの要求を備える、請求項１３に記載の装置。
【請求項１８】
ワイヤレス通信の、基地局によって実行される方法であって、
ユーザ機器（ＵＥ）からハンドオーバ要求メッセージを受信することであって、前記ハンドオーバ要求メッセージが、前記ＵＥの第１の無線アクセス技術（ＲＡＴ）の現在利用されているリソースについて第２のＲＡＴとの共存問題が存在すると測定されたことを示す情報を含み、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、受信することと、
前記受信されたハンドオーバ要求メッセージに基づいて、前記現在利用されているリソースを前記ＵＥとの通信において使用し続けるべきかどうかを決定することと
を備える方法。
【請求項１９】
前記受信されたメッセージに基づいてハンドオーバを許可することをさらに備える、請求項１８に記載の方法。
【請求項２０】
前記情報が、少なくとも１つの所望の将来のリソースを含む、請求項１８に記載の方法。
【請求項２１】
前の共存問題がもはや存在しないという指示を備える前記ＵＥからのメッセージを受信することをさらに備える、請求項１８に記載の方法。
【請求項２２】
前記ハンドオーバ要求メッセージは、さらに、ホワイトリストにおける通信リソースにハンドオーバするようにとの要求を備える、請求項１８に記載の方法。
【請求項２３】
ワイヤレス通信のためのシステムであって、
ユーザ機器（ＵＥ）からハンドオーバ要求メッセージを受信するための手段であって、前記ハンドオーバ要求メッセージが、前記ＵＥの第１の無線アクセス技術（ＲＡＴ）の現在利用されているリソースについて第２のＲＡＴとの共存問題が存在すると測定されることを示す情報を含み、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、受信するための手段と、
前記受信されたハンドオーバ要求メッセージに基づいて、前記ＵＥとの通信において前記現在利用されているリソースを使用し続けるべきかどうかを決定するための手段と
を備えるシステム。
【請求項２４】
ワイヤレス通信のためのシステムであって、
メモリと、
前記メモリに結合されたプロセッサであって、
ユーザ機器（ＵＥ）からハンドオーバ要求メッセージを受信することであって、前記ハンドオーバ要求メッセージが、前記ＵＥの第１の無線アクセス技術（ＲＡＴ）の現在利用されているリソースについて第２のＲＡＴとの共存問題が存在すると測定されたことを示す情報を含み、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、受信することと、
前記受信されたハンドオーバ要求メッセージに基づいて、前記ＵＥとの通信において前記現在利用されているリソースを使用し続けるべきかどうかを決定することと
を行うように構成されたプロセッサと
を備えるシステム。
【請求項２５】
ワイヤレス通信のためのコンピュータ可読記憶媒体であって、前記媒体は、
ユーザ機器（ＵＥ）からハンドオーバ要求メッセージを受信するためのコードであって、前記ハンドオーバ要求メッセージが、前記ＵＥの第１の無線アクセス技術（ＲＡＴ）の現在利用されているリソースについて第２のＲＡＴとの共存問題が存在すると測定されることを示す情報を含み、前記情報は、前記共存問題が前記第１のＲＡＴにおいて存在すると測定される少なくとも１つの通信リソースのブラックリスト、および前記共存問題が前記第１のＲＡＴに存在しないと測定される少なくとも１つの通信リソースのホワイトリストを含む、コードと、
前記受信されたハンドオーバ要求メッセージに基づいて、前記ＵＥとの通信において前記現在利用されているリソースを使用し続けるべきかどうかを決定するためのコードと
を備える、コンピュータプログラム。
【発明の詳細な説明】
【技術分野】
【０００１】
関連出願の相互参照
本出願は、開示の全体が参照により明確に本明細書に組み込まれる、２０１０年３月３１日に出願された「METHOD AND APPARATUS TO FACILITATE LTE SUPPORT FOR MULTI-RADIO COEXISTENCE」と題する米国仮特許出願第６１／３１９，３２２号、２０１０年６月２１日に出願された「METHOD AND APPARATUS TO FACILITATE SUPPORT FOR MULTI-RADIO COEXISTENCE」と題する米国仮特許出願第６１／３５６，９３３号、および２０１０年６月２１日に出願された「METHOD AND APPARATUS TO FACILITATE LTE SUPPORT FOR MULTI-RADIO COEXISTENCE」と題する米国仮特許出願第６１／３５６，９６０号の利益を主張する。
【０００２】
本明細書は、一般に複数無線技法に関し、より詳細には、複数無線デバイスのための共存技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
いくつかの従来の高度のデバイスは、異なる無線アクセス技術（ＲＡＴ：Radio Access Technology）を使用して送信／受信するための複数の無線機を含む。ＲＡＴの例には、たとえば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、ｃｄｍａ２０００、ＷｉＭＡＸ、ＷＬＡＮ（たとえば、ＷｉＦｉ）、Ｂｌｕｅｔｏｏｔｈ（登録商標）、ＬＴＥなどがある。
【０００６】
例示的なモバイルデバイスは、第４世代（４Ｇ）モバイルフォンなど、ＬＴＥユーザ機器（ＵＥ：User Equipment）を含む。そのような４Ｇフォンは、ユーザに様々な機能を提供するための様々な無線機を含み得る。この例では、４Ｇフォンは、ボイスおよびデータ用のＬＴＥ無線機と、ＩＥＥＥ８０２．１１（ＷｉＦｉ）無線機と、位置ロケーション、たとえば、全地球測位システム（ＧＰＳ）無線機と、Ｂｌｕｅｔｏｏｔｈ無線機とを含み、上記のうちの２つまたは４つすべてが同時に動作し得る。様々な無線機が電話に有用な機能を提供する一方、単一デバイス中にそれらを含めることは共存問題を生じる。詳細には、１つの無線機の動作が、場合によっては、放射性、伝導性のリソース衝突、および／または他の干渉機構を通して別の無線機の動作に干渉し得る。共存問題はそのような干渉を含む。
【０００７】
これは、産業科学医療用（ＩＳＭ：Industrial Scientific and Medical）帯域に隣接しており、この帯域との干渉を生じ得る、ＬＴＥアップリンクチャネルについて特に当てはまる。ＢｌｕｅｔｏｏｔｈおよびいくつかのワイヤレスＬＡＮ（ＷＬＡＮ）チャネルがＩＳＭ帯域内に入ることに留意されたい。いくつかの事例では、Ｂａｎｄ７、さらにはＢａｎｄ４０のいくつかのチャネル中でＬＴＥがアクティブであるとき、Ｂｌｕｅｔｏｏｔｈチャネル状態によっては、Ｂｌｕｅｔｏｏｔｈ誤り率が許容できなくなり得る。ＬＴＥに対する著しい劣化はないが、Ｂｌｕｅｔｏｏｔｈを用いた同時動作は、Ｂｌｕｅｔｏｏｔｈヘッドセットにおいて終端するボイスサービスの混乱を生じ得る。そのような混乱は消費者にとって許容できないものであり得る。ＬＴＥ送信が位置ロケーションに干渉するとき、同様の問題が存在する。ＬＴＥ自体は劣化を受けないので、現在、この問題を解決することができる機構は存在しない。
【０００８】
特にＬＴＥに関して、ＵＥは、発展型ノードＢ（ｅＮＢ、たとえば、ワイヤレス通信ネットワーク用の基地局）と通信して、ダウンリンク上でＵＥが受けた干渉をそのｅＮＢに通知することに留意されたい。さらに、ｅＮＢは、ダウンリンク誤り率を使用してＵＥにおける干渉を推定することが可能であり得る。いくつかの事例では、ｅＮＢおよびＵＥは協働して、ＵＥにおける干渉、さらにはＵＥ自体の内部の無線機による干渉を低減するソリューションを発見することができる。しかしながら、従来のＬＴＥでは、ダウンリンクに関する干渉推定は、干渉に包括的に対処するためには十分でないことがある。
【０００９】
一例では、ＬＴＥアップリンク信号はＢｌｕｅｔｏｏｔｈ信号またはＷＬＡＮ信号に干渉する。しかしながら、そのような干渉は、ｅＮＢにおけるダウンリンク測定報告中に反映されない。その結果、ＵＥの側の一方的なアクション（たとえば、アップリンク信号を異なるチャネルに移動すること）は、アップリンク共存問題に気づいていないｅＮＢによって阻止され得、ｅＮＢはその一方的なアクションを取り消そうと努める。たとえば、ＵＥが接続を異なる周波数チャネル上で再確立した場合でも、ネットワークは、ＵＥを、デバイス内干渉によって損なわれた元の周波数チャネルに依然としてハンドオーバし得る。損なわれたチャネル上の所望の信号強度は、時々、ｅＮＢに対する基準信号受信電力（ＲＳＲＰ：Reference Signal Received Power）に基づく新しいチャネルの測定報告中で反映される信号強度よりも高くなり得るので、これは可能性があるシナリオである。したがって、ｅＮＢがハンドオーバ決定を通知するためにＲＳＲＰ報告を使用する場合、損なわれたチャネルと所望のチャネルとの間で往復して転送されるピンポン現象（ping-pong effect）が発生し得る。
【００１０】
ｅＮＢの調整なしに単にアップリンク通信を停止することなど、ＵＥの側の他の一方的なアクションは、ｅＮＢにおける電力ループ機能不全を引き起こし得る。従来のＬＴＥにおいて存在するさらなる問題には、共存問題を有する構成の代替として所望の構成を提案するＵＥの側の能力の一般的な欠如がある。少なくともこれらの理由のために、ＵＥにおけるアップリンク共存問題は長い間未解決のまま残り、ＵＥにおける他の無線機のパフォーマンスおよび効率を劣化させ得る。
【発明の概要】
【００１１】
一態様によれば、ワイヤレス通信のための方法は、共存問題が存在する少なくとも１つの現在のリソースを識別することを含む。本方法はまた、（１つまたは複数の）現在のリソースの共存問題を示す情報を含むメッセージを基地局にサブミットすることを含む。
【００１２】
別の態様では、ワイヤレス通信システムにおいて動作可能な装置は、共存問題が存在する少なくとも１つの現在のリソースを識別するための手段を有する。本装置はまた、（１つまたは複数の）現在のリソースの共存問題を示す情報を含むメッセージを基地局にサブミットするための手段を有する。
【００１３】
さらに別の態様では、コンピュータプログラム製品は、共存問題が存在する少なくとも１つの現在のリソースを識別するためのコードを有するコンピュータ可読媒体を含む。この媒体はまた、（１つまたは複数の）現在のリソースの共存問題を示す情報を含むメッセージを基地局にサブミットするためのコードを有する。
【００１４】
さらに別の態様では、ワイヤレス通信システムにおいて動作可能な装置は、プロセッサに結合された、データを記憶するためのメモリを有する。このプロセッサは、共存問題が存在する少なくとも１つの現在のリソースを識別することと、（１つまたは複数の）現在のリソースの共存問題を示す情報を含むメッセージを基地局にサブミットすることとを行うように構成される。
【００１５】
別の態様によれば、ワイヤレス通信の方法は、ユーザ機器（ＵＥ）からメッセージを受信することであって、メッセージが、ＵＥの現在のリソースの共存問題を示す情報を含む、受信することを含む。本方法はまた、受信されたメッセージに基づいて、現在のリソースを使用し続けるべきかどうかを決定することを含む。
【００１６】
別の態様では、ワイヤレス通信のためのシステムは、ユーザ機器（ＵＥ）からメッセージを受信するための手段であって、メッセージが、ＵＥの現在のリソースの共存問題を示す情報を含む、手段を有する。本システムはまた、受信されたメッセージに基づいて、現在のリソースを使用し続けるべきかどうかを決定するための手段を有する。
【００１７】
別の態様では、ワイヤレス通信のためのシステムは、メモリと、メモリに結合されたプロセッサとを有する。このプロセッサは、ユーザ機器（ＵＥ）からメッセージを受信するように構成される。メッセージは、ＵＥの現在のリソースの共存問題を示す情報を含む。このプロセッサはまた、受信されたメッセージに基づいて、現在のリソースを使用し続けるべきかどうかを決定するように構成される。
【００１８】
さらに別の態様では、ワイヤレス通信のためのコンピュータ可読媒体上に有形に記憶されたコンピュータプログラムは、ユーザ機器（ＵＥ）からメッセージを受信するためのコードを含む。メッセージは、ＵＥの現在のリソースの共存問題を示す情報を含む。この媒体はまた、受信されたメッセージに基づいて、現在のリソースを使用し続けるべきかどうかを決定するためのコードを有する。
【００１９】
本開示の特徴、特性、および利点は、全体を通じて同様の参照符号が同様のものを指す図面とともに、以下に記載する発明を実施するための形態を読めばより明らかになろう。
【図面の簡単な説明】
【００２０】
【図１】一態様による多元接続ワイヤレス通信システムを示す図。
【図２】一態様による通信システムのブロック図。
【図３】ダウンリンクＬｏｎｇ  Ｔｅｒｍ  Ｅｖｏｌｕｔｉｏｎ（ＬＴＥ）通信における例示的なフレーム構造を示す図。
【図４】アップリンクＬｏｎｇ  Ｔｅｒｍ  Ｅｖｏｌｕｔｉｏｎ（ＬＴＥ）通信における例示的なフレーム構造を概念的に示すブロック図。
【図５】例示的なワイヤレス通信環境を示す図。
【図６】複数無線ワイヤレスデバイスのための例示的な設計のブロック図。
【図７】所与の決定期間における７つの例示的な無線機間のそれぞれの潜在的な衝突を示す図式。
【図８】時間的な例示的な共存マネージャ（ＣｘＭ：Coexistence Manager）の動作を示す図。
【図９】一態様による、複数無線機共存管理のためのワイヤレス通信環境内でサポートを行うためのシステムのブロック図。
【図１０】本開示の一態様による、メッセージの使用を示す例示的なコールフロー図。
【図１１】一態様による、ワイヤレス通信システム内の複数無線機共存機能の実装を示すブロック図。
【図１２】本開示の一態様による、ワイヤレス通信システム内の複数無線機共存機能の実装を示すブロック図。
【図１３】一態様による、ワイヤレス通信システム内の複数無線機共存機能の実装を可能にする第２の方法を示す図。
【図１４】一態様による、ワイヤレス通信システム内の複数無線機共存機能の実装を可能にする第３の方法を示す図。
【発明を実施するための形態】
【００２１】
本開示の様々な態様は、複数無線デバイス中の共存問題を緩和するための技法を提供する。上記で説明したように、ｅＮＢは、他の無線機が受けるＵＥ側上の干渉に気づいていないので、いくつかの共存問題が残存する。一態様によれば、ＵＥは、既存のまたは潜在的な共存問題を識別し、ｅＮＢにハンドオーバ要求を送る。ハンドオーバ要求は、共存問題に遭遇しているリソースの識別、所望のリソースの識別、共存問題の原因、または他の有用な情報を含むことができる。次いで、ｅＮＢが要求を許可した場合、ハンドオーバが実行される。ハンドオーバは、現在のＬＴＥ通信を別のチャネルおよび／または別の無線アクセス技術（ＲＡＴ）に切り替えることができる。
【００２２】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３rd  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００は、「３rd  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。明快のために、本技法のいくつかの態様について以下ではＬＴＥに関して説明し、以下の説明の部分でＬＴＥ用語を使用する。
【００２３】
シングルキャリア変調および周波数領域等化を利用するシングルキャリア周波数分割多元接続（ＳＣ−ＦＤＭＡ）は、本明細書で説明する様々な態様とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、それの固有のシングルキャリア構造のためにより低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００２４】
図１を参照すると、一態様による多元接続ワイヤレス通信システムが示されている。発展型ノードＢ１００（ｅＮＢ）は、リソースおよびパラメータを割り振ること、ユーザ機器からの要求を許可／拒否することなどによってＬＴＥ通信を管理するための処理リソースとメモリリソースとを有するコンピュータ１１５を含む。ｅＮＢ１００はまた複数のアンテナグループを有し、あるグループはアンテナ１０４とアンテナ１０６とを含み、別のグループはアンテナ１０８とアンテナ１１０とを含み、追加のグループはアンテナ１１２とアンテナ１１４とを含む。図１では、アンテナグループごとに２つのアンテナのみが示されているが、アンテナグループごとにより多いまたはより少ないアンテナが利用され得る。ユーザ機器（ＵＥ）１１６（アクセス端末（ＡＴ）とも呼ばれる）がアンテナ１１２および１１４と通信している間、アンテナ１１２および１１４は、アップリンク（ＵＬ）１８８を介してＵＥ１１６に情報を送信する。ＵＥ１２２がアンテナ１０６および１０８と通信している間、アンテナ１０６および１０８は、ダウンリンク（ＤＬ）１２６を介してＵＥ１２２に情報を送信し、アップリンク１２４を介してＵＥ１２２から情報を受信する。ＦＤＤシステムでは、通信リンク１１８、１２０、１２４および１２６は、通信のために異なる周波数を使用することができる。たとえば、ダウンリンク１２０は、アップリンク１１８によって使用される周波数とは異なる周波数を使用することができる。
【００２５】
アンテナの各グループ、および／またはアンテナが通信するように設計されたエリアは、しばしば、ｅＮＢのセクタと呼ばれる。この態様では、それぞれのアンテナグループは、ｅＮＢ１００によってカバーされるエリアのセクタ中のＵＥに通信するように設計される。
【００２６】
ダウンリンク１２０および１２６を介した通信では、ｅＮＢ１００の送信アンテナは、異なるＵＥ１１６および１２２に対してアップリンクの信号対雑音比を改善するためにビームフォーミングを利用する。また、ｅＮＢが、ビームフォーミングを使用して、それのカバレージ中にランダムに分散されたＵＥに送信するほうが、ＵＥが単一のアンテナを介してすべてのそれのＵＥに送信するよりも、隣接セル中のＵＥへの干渉が小さくなる。
【００２７】
ｅＮＢは、端末と通信するために使用される固定局であり得、アクセスポイント、基地局、または何らかの他の用語で呼ばれることもある。ＵＥは、アクセス端末、ワイヤレス通信デバイス、端末、または何らかの他の用語で呼ばれることもある。
【００２８】
図２は、ＭＩＭＯシステム２００における送信機システム２１０（ｅＮＢとしても知られる）および受信機システム２５０（ＵＥとしても知られる）の一態様のブロック図である。いくつかの事例では、ＵＥとｅＮＢの両方が、送信機システムと受信機システムとを含むトランシーバをそれぞれ有する。送信機システム２１０において、いくつかのデータストリームのトラフィックデータがデータソース２１２から送信（ＴＸ）データプロセッサ２１４に供給される。
【００２９】
ＭＩＭＯシステムは、データ伝送のために複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。ＭＩＭＯシステムは、複数の送信アンテナと受信アンテナとによって生成された追加の次元数が利用された場合、改善されたパフォーマンス（たとえば、より高いスループットおよび／またはより大きい信頼性）を与えることができる。
【００３０】
ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域上で行われるので、相反定理によるアップリンクチャネルからのダウンリンクチャネルの推定が可能である。これにより、ｅＮＢにおいて複数のアンテナが利用可能であるとき、ｅＮＢはダウンリンク上で送信ビームフォーミング利得を抽出することが可能になる。
【００３１】
一態様では、各データストリームは、それぞれの送信アンテナを介して送信される。ＴＸデータプロセッサ２１４は、データストリーム用に選択された特定のコーディング方式に基づいて、そのデータストリームごとにトラフィックデータをフォーマットし、コーディングし、インターリーブして、コード化データを提供する。
【００３２】
各データストリームのコード化データは、ＯＦＤＭ技法を使用してパイロットデータで多重化され得る。パイロットデータは、知られている方法で処理され、チャネル応答を推定するために受信機システムにおいて使用され得る知られているデータパターンである。次いで、各データストリームの多重化されたパイロットデータおよびコード化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルを与える。各データストリームのデータレート、コーディング、および変調は、メモリ２３２とともに動作するプロセッサ２３０によって実行される命令によって判断され得る。
【００３３】
次いで、それぞれのデータストリームの変調シンボルはＴＸ  ＭＩＭＯプロセッサ２２０に供給され、ＴＸ  ＭＩＭＯプロセッサ２２０はさらに（たとえば、ＯＦＤＭ用に）その変調シンボルを処理することができる。次いで、ＴＸ  ＭＩＭＯプロセッサ２２０はＮT個の変調シンボルストリームをＮT個の送信機（ＴＭＴＲ）２２２ａ〜２２２ｔに供給する。いくつかの態様では、ＴＸ  ＭＩＭＯプロセッサ２２０は、データストリームのシンボルと、シンボルの送信元のアンテナとにビームフォーミング重みを適用する。
【００３４】
各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、送信機２２２ａ〜２２２ｔからのＮT個の被変調信号が、それぞれＮT個のアンテナ２２４ａ〜２２４ｔから送信される。
【００３５】
受信機システム２５０では、送信された被変調信号はＮR個のアンテナ２５２ａ〜２５２ｒによって受信され、各アンテナ２５２からの受信信号は、それぞれの受信機（ＲＣＶＲ）２５４ａ〜２５４ｒに供給される。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３６】
次いで、ＲＸデータプロセッサ２６０は、ＮR個の受信機２５４からＮR個の受信シンボルストリームを受信し、特定の受信機処理技法に基づいて処理して、ＮR個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものである。
【００３７】
（メモリ２７２とともに動作する）プロセッサ２７０は、どのプリコーディング行列を使用すべきかを周期的に判断する（後述）。プロセッサ２７０は、行列インデックス部分とランク値部分とを有するアップリンクメッセージを作成する。
【００３８】
アップリンクメッセージは、通信リンクおよび／または受信データストリームに関する様々なタイプの情報を含むことができる。次いで、アップリンクリンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３９】
送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージを抽出する。次いで、プロセッサ２３０は、ビームフォーミング重みを判断するためにどのプリコーディング行列を使用すべきかを判断し、次いで、抽出されたメッセージを処理する。
【００４０】
図３は、ダウンリンクＬｏｎｇ  Ｔｅｒｍ  Ｅｖｏｌｕｔｉｏｎ（ＬＴＥ）通信における例示的なフレーム構造を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４１】
ＬＴＥでは、ｅＮＢは、ｅＮＢ中の各セルについて１次同期信号（ＰＳＳ：Primary Synchronization Signal）と２次同期信号（ＳＳＳ：Secondary Synchronization Signal）とを送り得る。ＰＳＳおよびＳＳＳは、図３に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはいくつかのシステム情報を搬送し得る。
【００４２】
ｅＮＢは、ｅＮＢ中の各セルについてセル固有基準信号（ＣＲＳ：Cell-specific Reference Signal）を送り得る。ＣＲＳは、ノーマルサイクリックプレフィックスの場合は各スロットのシンボル０、１、および４中で送られ得、拡張サイクリックプレフィックスの場合は各スロットのシンボル０、１、および３中で送られ得る。ＣＲＳは、物理チャネルのコヒーレント復調、タイミングおよび周波数追跡、無線リンク監視（ＲＬＭ：Radio Link Monitoring）、基準信号受信電力（ＲＳＲＰ）、および基準信号受信品質（ＲＳＲＱ：Reference Signal Received Quality）測定などのためにＵＥによって使用され得る。
【００４３】
ｅＮＢは、図３に示すように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図３に示す例では、Ｍ＝３である。ｅＮＢは、各サブフレームの最初のＭ個のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図３に示す例でも、ＰＤＣＣＨおよびＰＨＩＣＨは最初の３つのシンボル期間中に含まれている。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４４】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４５】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００４６】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４７】
図４は、アップリンクＬｏｎｇＴｅｒｍＥｖｏｌｕｔｉｏｎ（ＬＴＥ）通信における例示的なフレーム構造３００を概念的に示すロック図である。アップリンクのために利用可能なリソースブロック（ＲＢ：Resource Block）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る連続サブキャリアを含むデータセクションを生じる。
【００４８】
ＵＥには、ｅＮＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図４に示すように周波数上でホッピングし得る。
【００４９】
ＬＴＥにおけるＰＳＳ、ＳＳＳ、ＣＲＳ、ＰＢＣＨ、ＰＵＣＣＨおよびＰＵＳＣＨは、公開されている「Evolved Universal Terrestrial Radio Access (E-UTRA); Physical Channels and Modulation」と題する３ＧＰＰ  ＴＳ  ３６．２１１に記載されている。
【００５０】
一態様では、本明細書では、複数無線機共存ソリューションを可能にするために、３ＧＰＰ  ＬＴＥ環境などのワイヤレス通信環境内でサポートを行うためのシステムおよび方法が説明される。
【００５１】
次に図５を参照すると、本明細書で説明する様々な態様が機能することができる例示的なワイヤレス通信環境５００が示されている。ワイヤレス通信環境５００は、複数の通信システムと通信することが可能であり得るワイヤレスデバイス５１０を含むことができる。これらのシステムは、たとえば、１つまたは複数のセルラーシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、あるいはそれらの任意の組合せを含むことができる。以下の説明では、「ネットワーク」および「システム」という用語がしばしば互換的に使用されることを諒解されたい。
【００５２】
セルラーシステム５２０および５３０はそれぞれ、ＣＤＭＡ、ＴＤＭＡ、ＦＤＭＡ、ＯＦＤＭＡ、シングルキャリアＦＤＭＡ（ＳＣ−ＦＤＭＡ）、または他の好適なシステムであり得る。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（ＷＣＤＭＡ）およびＣＤＭＡの他の変形態を含む。その上、ｃｄｍａ２０００は、ＩＳ−２０００（ＣＤＭＡ２０００  １Ｘ）、ＩＳ−９５およびＩＳ−８５６（ＨＲＰＤ）規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３rd  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３rd  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。一態様では、セルラーシステム５２０は、カバレージ内のワイヤレスデバイスのための双方向通信をサポートすることができるいくつかの基地局５２２を含むことができる。同様に、セルラーシステム５３０は、カバレージ内のワイヤレスデバイスのための双方向通信をサポートすることができるいくつかの基地局５３２を含むことができる。
【００５３】
ＷＬＡＮシステム５４０および５５０はそれぞれ、ＩＥＥＥ８０２．１１（ＷｉＦｉ）、Ｈｉｐｅｒｌａｎなどの無線技術を実装することができる。ＷＬＡＮシステム５４０は、双方向通信をサポートすることができる１つまたは複数のアクセスポイント５４２を含むことができる。同様に、ＷＬＡＮシステム５５０は、双方向通信をサポートすることができる１つまたは複数のアクセスポイント５５２を含むことができる。ＷＰＡＮシステム５６０は、Ｂｌｕｅｔｏｏｔｈ（ＢＴ）、ＩＥＥＥ８０２．１５などの無線技術を実装することができる。さらに、ＷＰＡＮシステム５６０は、ワイヤレスデバイス５１０、ヘッドセット５６２、コンピュータ５６４、マウス５６６など、様々なデバイスのための双方向通信をサポートすることができる。
【００５４】
ブロードキャストシステム５７０は、テレビジョン（ＴＶ）ブロードキャストシステム、周波数変調（ＦＭ）ブロードキャストシステム、デジタルブロードキャストシステムなどであり得る。デジタルブロードキャストシステムは、ＭｅｄｉａＦＬＯ（商標）、Ｄｉｇｉｔａｌ  Ｖｉｄｅｏ  Ｂｒｏａｄｃａｓｔｉｎｇ  ｆｏｒ  Ｈａｎｄｈｅｌｄｓ（ＤＶＢ−Ｈ）、Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ（ＩＳＤＢ−Ｔ）などの無線技術を実装することができる。さらに、ブロードキャストシステム５７０は、一方向通信をサポートすることができる１つまたは複数のブロードキャスト局５７２を含むことができる。
【００５５】
衛星測位システム５８０は、米国の全地球測位システム（ＧＰＳ）、欧州のＧａｌｉｌｅｏシステム、ロシアのＧＬＯＮＡＳＳシステム、日本のＱｕａｓｉ−Ｚｅｎｉｔｈ  Ｓａｔｅｌｌｉｔｅ  Ｓｙｓｔｅｍ（ＱＺＳＳ）、インドのＩｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、中国のＢｅｉｄｏｕシステム、および／または任意の他の好適なシステムであり得る。さらに、衛星測位システム５８０は、位置判断用の信号を送信するいくつかの衛星５８２を含むことができる。
【００５６】
一態様では、ワイヤレスデバイス５１０は、固定でも移動でもあり得、ユーザ機器（ＵＥ）、移動局、モバイル機器、端末、アクセス端末、加入者ユニット、局などと呼ばれることもある。ワイヤレスデバイス５１０は、セルラー電話、携帯情報端末（ＰＤＡ）、ワイヤレスモデム、ハンドヘルドデバイス、ラップトップコンピュータ、コードレス電話、ワイヤレスローカルループ（ＷＬＬ：wireless local loop）局などであり得る。さらに、ワイヤレスデバイス５１０は、セルラーシステム５２０および／または５３０、ＷＬＡＮシステム５４０および／または５５０、ＷＰＡＮシステム５６０をもつデバイス、および／または任意の他の好適な（１つまたは複数の）システムおよび／または（１つまたは複数の）デバイスとの双方向通信に関与することができる。ワイヤレスデバイス５１０は、追加または代替として、ブロードキャストシステム５７０および／または衛星測位システム５８０から信号を受信することができる。概して、ワイヤレスデバイス５１０は、所与の瞬間において任意の数のシステムと通信することができることが諒解できよう。また、ワイヤレスデバイス５１０は、同時に動作するそれの構成無線デバイスの様々な構成無線デバイスの間の共存問題に遭遇し得る。したがって、デバイス５１０は、以下でさらに説明するように、共存問題を検出し、緩和するための機能モジュールを有する共存マネージャ（ＣｘＭ、図示せず）を含む。
【００５７】
次に図６を参照すると、図５のワイヤレスデバイス５１０の実装形態として使用され得る、複数無線ワイヤレスデバイス６００の例示的な設計を示すブロック図が与えられている。図６が示すように、ワイヤレスデバイス６００は、それぞれＮ個のアンテナ６１０ａ〜６１０ｎに結合され得るＮ個の無線機６２０ａ〜６２０ｎを含むことができ、ここで、Ｎは任意の整数値であり得る。ただし、それぞれの無線機６２０は任意の数のアンテナ６１０に結合され得、複数の無線機６２０は所与のアンテナ６１０を共有することもできることを諒解されたい。
【００５８】
概して、無線機６２０は、電磁スペクトルのエネルギーを放射または放出するか、電磁スペクトルのエネルギーを受け取るか、あるいは伝導性手段を介して伝搬するエネルギーを発生するユニットであり得る。例として、無線機６２０は、システムまたはデバイスに信号を送信するユニット、あるいはシステムまたはデバイスから信号を受信するユニットであり得る。したがって、無線機６２０は、ワイヤレス通信をサポートするために利用され得ることが諒解できよう。別の例では、無線機６２０はまた、他の無線機のパフォーマンスに影響を及ぼし得る雑音を放出するユニット（たとえば、コンピュータ上のスクリーン、回路板など）であり得る。したがって、さらに、無線機６２０は、ワイヤレス通信をサポートすることなしに雑音および干渉を放出するユニットでもあり得ることが諒解できよう。
【００５９】
一態様では、それぞれの無線機６２０は、１つまたは複数のシステムとの通信をサポートすることができる。複数の無線６２０は、追加または代替として、所与のシステムが、たとえば、異なる周波数帯域（セルラー帯域およびＰＣＳ帯域）上で送信または受信するために使用され得る。
【００６０】
別の態様では、デジタルプロセッサ６３０が、無線機６２０ａ〜６２０ｎに結合され得、無線機６２０を介して送信または受信されるデータの処理など、様々な機能を実行することができる。各無線機６２０の処理は、その無線機によってサポートされる無線技術に依存し得、送信機の場合は暗号化、符号化、変調などを含み、受信機の場合は復調、復号、解読などを含むことなどができる。一例では、デジタルプロセッサ６３０は、本明細書で概して説明するように、ワイヤレスデバイス６００のパフォーマンスを改善するために無線機６２０の動作を制御することができるＣｘＭ６４０を含むことができる。ＣｘＭ６４０は、無線機６２０の動作を制御するために使用される情報を記憶することができるデータベース６４４にアクセスすることができる。以下でさらに説明するように、ＣｘＭ６４０は、無線機間の干渉を減少させるための様々な技法に対して適応され得る。一例では、ＣｘＭ６４０は、ＩＳＭ無線機がＬＴＥ非アクティビティ期間中に通信することを可能にする測定ギャップパターンまたはＤＲＸサイクルを要求する。
【００６１】
簡単のために、デジタルプロセッサ６３０は、図６ではシングルプロセッサとして示されている。しかしながら、デジタルプロセッサ６３０は、任意の数のプロセッサ、コントローラ、メモリなどを含むことができることを諒解されたい。一例では、コントローラ／プロセッサ６５０は、ワイヤレスデバイス６００内の様々なユニットの演算を指示することができる。追加または代替として、メモリ６５２が、ワイヤレスデバイス６００のためのプログラムコードおよびデータを記憶することができる。デジタルプロセッサ６３０、コントローラ／プロセッサ６５０、およびメモリ６５２は、１つまたは複数の集積回路（ＩＣ）、特定用途向け集積回路（ＡＳＩＣ）などの上で実装され得る。特定の非限定的な例として、デジタルプロセッサ６３０は、移動局モデム（ＭＳＭ：Mobile Station Modem）ＡＳＩＣ上で実装され得る。
【００６２】
一態様では、ＣｘＭ６４０は、それぞれの無線機６２０間の衝突に関連する干渉および／または他のパフォーマンス劣化を回避するために、ワイヤレスデバイス６００によって利用されるそれぞれの無線機６２０の動作を管理することができる。ＣｘＭ６４０は、図１１、図１３、および図１４に示すプロセスなど、１つまたは複数のプロセスを実行し得る。さらなる例として、図７の図式７００に、所与の決定期間における７つの例示的な無線機間のそれぞれの潜在的な衝突を表す。図式７００に示す例では、７つの無線機は、ＷＬＡＮ送信機（Ｔｗ）と、ＬＴＥ送信機（Ｔｌ）と、ＦＭ送信機（Ｔｆ）と、ＧＳＭ／ＷＣＤＭＡ送信機（Ｔｃ／Ｔｗ）と、ＬＴＥ受信機（Ｒｌ）と、Ｂｌｕｅｔｏｏｔｈ受信機（Ｒｂ）と、ＧＰＳ受信機（Ｒｇ）とを含む。４つの送信機は、図式７００の左側にある４つのノードによって表されている。４つの受信機は、図式７００の右側にある３つのノードによって表されている。
【００６３】
送信機と受信機との間の潜在的な衝突は、送信機のノードと受信機のノードとを接続しているブランチによって図式７００上に表されている。したがって、図式７００に示す例では、衝突は、（１）ＷＬＡＮ送信機（Ｔｗ）とＢｌｕｅｔｏｏｔｈ受信機（Ｒｂ）との間、（２）ＬＴＥ送信機（Ｔｌ）とＢｌｕｅｔｏｏｔｈ受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）とＧＳＭ／ＷＣＤＭＡ送信機（Ｔｃ／Ｔｗ）とＧＰＳ受信機（Ｒｇ）との間に存在し得る。
【００６４】
一態様では、例示的なＣｘＭ６４０は、図８の線図８００によって示す方法などの方法で時間的に動作することができる。線図８００が示すように、ＣｘＭ動作のタイムラインは、任意の好適な一様または非一様な長さ（たとえば、１００μｓ）であり得る決定ユニット（ＤＵ：Decision Unit）に分割され得、ＤＵでは、通知が処理され、応答段階（たとえば、２０μｓ）では、評価段階中に取られたアクションに基づいて、コマンドが様々な無線機６２０に与えられ、および／または他の動作が実行される。一例では、線図８００に示すタイムラインは、タイムラインのワーストケース動作によって定義されたレイテンシパラメータを有することができ、たとえば、所与のＤＵ中の通知段階の終了の直後に所与の無線機から通知が取得された場合における応答のタイミングを有することができる。
【００６５】
ＵＥに関して、たとえば、（たとえば、Ｂｌｕｅｔｏｏｔｈ／ＷＬＡＮ用の）ＬＴＥおよびＩＳＭ帯域などのリソース間にデバイス内共存問題が存在し得る。現在のＬＴＥ実装形態では、ＬＴＥに対する干渉問題は、ＵＥによって報告されるＤＬ測定値（たとえば、基準信号受信品質（ＲＳＲＱ）メトリックなど）および／またはＤＬ誤り率に反映され、ｅＮＢは、それらのＤＬ測定値および／またはＤＬ誤り率を使用して、たとえば、共存問題のないチャネルまたはＲＡＴにＬＴＥを移動させる周波数間またはＲＡＴ間ハンドオフ決定を行うことができる。しかしながら、たとえば、ＬＴＥ  ＵＬがＢｌｕｅｔｏｏｔｈ／ＷＬＡＮへの干渉を引き起こしているが、ＬＴＥ  ＤＬがＢｌｕｅｔｏｏｔｈ／ＷＬＡＮからの干渉を経験しない場合、これらの既存の技法は機能しないことが諒解できよう。より詳細には、ＵＥがそれ自体をＵＬ上の別のチャネルに自律的に移動させる場合でも、ｅＮＢは、場合によっては、たとえば、負荷分散の目的で、ＵＥを問題があるチャネルにハンドオーバし戻す可能性がある。いずれの場合も、既存の技法では、問題があるチャネルの帯域幅を最も効率的な方法で使用することが可能にならないことが諒解できよう。
【００６６】
次に図９を参照すると、複数無線機共存管理のためのワイヤレス通信環境内でサポートを行うためのシステム９００のブロック図が示されている。一態様では、システム９００は、ＵＬ、ＤＬ、および／または互いのおよび／またはシステム９００中の他のエンティティとの任意の他の好適な通信に関与することができる、１つまたは複数のＵＥ９１０および／またはｅＮＢ９３０を含むことができる。一例では、ＵＥ９１０および／またはｅＮＢ９３０は、周波数チャネルおよびサブバンドを含む様々なリソースを使用して通信するように動作可能であり得、それらのリソースの一部は他の無線リソース（たとえば、Ｂｌｕｅｔｏｏｔｈ無線機）と潜在的に衝突し得る。したがって、ＵＥ９１０は、本明細書で概して説明するように、ＵＥ９１０によって利用される複数の無線機の間の共存を管理するための様々な技法を利用することができる。
【００６７】
少なくとも上記の短所を緩和するために、ＵＥ９１０は、ＵＥ９１０内の複数無線機共存のためのサポートを可能にするための、本明細書で説明しシステム９００によって図示する、それぞれの特徴を利用することができる。様々なモジュール９１２〜９２２は、いくつかの例では、図６のＣｘＭ６４０などの共存マネージャの一部として実装され得る。
【００６８】
第１の態様では、ハンドオーバ要求モジュール９１２および／またはＵＥ９１０に関連する他の機構は、ＵＥ９１０が周波数間またはＲＡＴ間ハンドオーバを開始することを可能にするメッセージをｅＮＢ９３０に与えるように構成され得る。一例では、ハンドオーバ要求モジュール９１２によって与えられるメッセージは、ホワイトリスト、ブラックリスト、および／または、（たとえば、リソース共存分析器９１４および／または他の構成要素によって判断された）ＵＥ９１０において共存問題を経験しない周波数および／または他のリソースの他の好適な（１つまたは複数の）インジケータを含むことができる。別の例では、ハンドオーバ要求モジュール９１２によって与えられるメッセージは、共存問題がなくなったことを示すことができる。
【００６９】
第２の態様では、ＵＥ９１０に関連するパラメータ要求モジュール９１６は、ＵＥ９１０が、システム９００内で使用される測定ギャップパターンおよび／またはＤＲＸモードに関連するパラメータおよび／または様々なパラメータを要求することを可能にするメッセージをｅＮＢ９３０に与えるように構成され得る。一例では、そのようなメッセージはまた、これらの設定のリリースを示すことができる。そのような態様は、その全体が参照により本明細書に組み込まれる、本明細書と同時に出願された、「METHOD AND APPARATUS TO FACILITATE SUPPORT FOR MULTI-RADIO COEXISTENCE」と題する米国特許出願［弁理士参照番号１０１５１７Ｕ２］により詳細に記載されている。
【００７０】
ハンドオーバ要求モジュール９１２およびパラメータ要求モジュール９１６によってｅＮＢ９３０に与えられるメッセージに関して、要求分析器９３２および／またはｅＮＢ９３０に関連する他の構成要素は、受信された要求を分析し、要求がそこから受信されるＵＥ９１０が、問題がある周波数帯域および／または他のリソースを利用しているかどうかを判断することができる。問題があるリソースを利用しているとＵＥ９１０が判断された場合、リソース許可モジュール９３４および／またはパラメータ割当てモジュール９３６が、それぞれ、要求されたハンドオーバおよび／または測定ギャップもしくはＤＲＸパラメータの要求されたセットに関連するリソースを許可するために、ｅＮＢ９３０によって利用され得る。
【００７１】
第３の態様では、ギャップパターンコントローラ９１８および／またはＵＥ９１０に関連する他の機構は、たとえば、ＬＴＥとＢＴ／ＷＬＡＮとの間のＴＤＭソリューションのために与えられ得る、（たとえば、パラメータ要求モジュール９１６または他の適切な手段を介して得られた）１つまたは複数の新しい特定のギャップパターンを利用することができる。
【００７２】
同様に、第４の態様では、ＤＲＸコントローラ９２０および／またはＵＥ９１０に関連する他の機構は、（たとえば、パラメータ要求モジュール９１６または他の適切な手段を介して得られた）１つまたは複数の新しい特定のＤＲＸモードパラメータに応じたＵＥ９１０の動作を可能にすることができる。
【００７３】
第５の態様では、ＤＲＸ中のあらかじめ定義された時間を超えたＵＥ９１０による送信を防ぐために、ＵＥ９１０および／またはｅＮＢ９３０において（たとえば、ＵＥ９１０および／またはｅＮＢ９３０にあるＨＡＲＱタイミングモジュール９２２を介して）ＵＬ  ＨＡＲＱが修正され得る。
【００７４】
図１０に、一態様による、メッセージの使用を示す例示的なコールフロー図１０１０、１０２０を示す。この例では、ＬＴＥ仕様によって与えられる無線リソース制御（ＲＲＣ：Radio Resource Control）接続管理メッセージングに新しいツールが追加される。ＲＲＣプロトコルは、レイヤ３制御プレーンシグナリングを扱い、また、システム情報（ＳＩ：System Information）ブロードキャスト、ＬＴＥ内のハンドオーバなどの接続制御、ネットワーク制御無線アクセス技術（ＲＡＴ）間モビリティならびに測定値構成および報告を含むＵＥ１００３の挙動を制御する。
【００７５】
一態様では、新しい再構成要求メッセージ１００１が、ＬＴＥ通信システムに追加され、ハンドオーバを開始するためにＵＥ１００３からｅＮＢ１００５に送られる。シナリオ１０１０では、ハンドオーバ要求がＵＥ１００３からｅＮＢ１００５に送られ、その要求は成功する。詳細には、一態様では、ハンドオーバを開始するためにＲＲＣＣｏｎｎｅｃｔｉｏｎＲｅｃｏｎｆｉｇｕｒａｔｉｏｎＲｅｑｕｅｓｔメッセージがｅＮＢ１００５に送られる。一例では、ＵＥ１００３は問題チャネルから別のチャネルへの周波数ハンドオーバを要求する。再構成要求メッセージ１００１は、要求の理由（たとえば、Ｂｌｕｅｔｏｏｔｈオン）、様々な要求された値（たとえば、要求されたチャネル）、および／または他の有益な情報を含むことができる。再構成要求メッセージ１００１中に、「ホワイトリスト」（たとえば、所望のチャネルなど、所望のリソースのリスト）および／または「ブラックリスト」（たとえば、共存問題に遭遇しているチャネルなど、回避すべきリソースのリスト）を含めることが可能である。
【００７６】
ｅＮＢ１００５は要求を処理する。シナリオ１０１０では、ｅＮＢ１００５は、ＵＥ１００３に１つまたは複数の他の周波数チャネルを割り振ることによって要求を許可する。接続再構成メッセージ１００７（たとえば、ＲＲＣＣｏｎｎｅｃｔｉｏｎＲｅｃｏｎｆｉｇｕｒａｔｉｏｎメッセージ）１００７が、ｅＮＢ１００５からＵＥ１００３に送られ、たとえば、要求許可および割り振られたリソースをＵＥ１００３に通知する。次いで、ＵＥ１００３は再構成し、ＵＥ１００３が再構成を完了すると、ＵＥ１００３はｅＮＢ１００５に構成完了メッセージ１００９（たとえば、ＲＲＣＣｏｎｎｅｃｔｉｏｎＲｅｃｏｎｆｉｇｕｒａｔｉｏｎＣｏｍｐｌｅｔｅメッセージ）を返信する。
【００７７】
別の例では、ＵＥ１００３は、ＬＴＥ上で行われている通信が別のＲＡＴに切り替えられる、あるＲＡＴから別のＲＡＴへのハンドオーバを要求する。そのような一例では、新しい再構成要求メッセージ１００１（たとえば、ＭｏｂｉｌｉｔｙＦｒｏｍＥＵＴＲＡＲｅｑｕｅｓｔメッセージ）は、要求の理由（たとえば、Ｂｌｕｅｔｏｏｔｈオン）、様々な要求された値（たとえば、異なるＲＡＴリソース）、および／または他の有益な情報を含み得る。ｅＮＢ１００５は、要求を処理し、あるＲＡＴから別のＲＡＴに切り替える許可をＵＥ１００３に与えるための接続再構成メッセージ１００７を送る。ＵＥ１００３が別のＲＡＴに切り替わると、ＵＥ１００３は、新しいＲＡＴに関連するメッセージングに従う。いくつかのＲＡＴは構成完了メッセージをサポートし得ないので、いくつかの事例では、ＲＡＴハンドオーバ後にｅＮＢ１００５への構成完了メッセージ１００９がない。
【００７８】
シナリオ１０１０に示すプロセスは、従来のＬＴＥプロセスとは異なる。たとえば、ＵＥ１００３には、割振りのための他のリソースを提案することができる再構成要求メッセージ１００１を使用することによって、ＵＥ１００３自体の動作を指示する何らかの能力が与えられている。さらに、干渉がアップリンク信号に影響を及ぼしているがダウンリンク信号に影響を及ぼしていない（したがって、ｅＮＢ１００５が共存問題に気づいていない）とき、ＵＥ１００３は再構成を開始し、それによって、共存問題に応答してアクションが取られることが保証される。対照的に、従来のＬＴＥでは、ｅＮＢ１００５のみがハンドオフを開始し、そのハンドオフはＵＥダウンリンクチャネル測定のみに基づく。また、ｅＮＢ１００５には、いくつかの従来のＬＴＥシステムよりも干渉に関して多くの情報が与えられる。たとえば、従来のシステムでは、ｅＮＢが、ＵＥ中の他の無線機のタイミングに気づくか、または別のＵＥ無線機がオン／オフにされたことに気づくための技法が存在しない。本開示の様々な態様では、ＵＥからのハンドオーバ要求および／または他のシグナリングがそのような情報をｅＮＢに与えることができる。ｅＮＢ１００５は共存問題に気づいているので、ｅＮＢ１００５は、共存問題をもつリソース上に戻るようにＵＥ１００３に強制する可能性が低い。
【００７９】
シナリオ１０２０では、ｅＮＢ１００５は、メッセージ１００１中の再構成要求を拒否する。ｅＮＢ１００５は、要求が拒否されたことをＵＥ１００３に通知する要求拒否メッセージ１０１１（たとえば、ＲＲＣＣｏｎｎｅｃｔｉｏｎＲｅｃｏｎｆｉｇｕｒａｔｉｏｎＲｅｑｕｅｓｔＲｅｊｅｃｔメッセージ）をＵＥ１００３に送る。次いで、ＵＥ１００３は、同じリソースを再び要求するかまたは最初の要求中のリソースとは異なるリソースを要求するために、フォローアップ再構成要求メッセージ１０１３を送ることができる。一例では、チャネル再割振りについての要求が拒否されたとき、ＵＥ１００３は、ＲＡＴ再構成を要求することによってフォローアップし得る（またはその逆も同様）。ＵＥ１００３は、共存問題がなくなったかどうか、または指定された時間中の最大数の要求が送られたかどうかなど、いくつかのファクタに応じて、ｅＮＢ１００５に再構成要求メッセージを送ることを中止し得る。追加または代替として、ＵＥ１００３は、再構成要求メッセージがどれくらいの頻度で送られるかを制御するタイマーを含み得る。
【００８０】
ＬＴＥ動作中に行われ得る様々なシナリオのいずれについても、様々な例が適応され得る。たとえば、ＲＲＣ接続の準備がまだできていないとき、ＲＲＣＣｏｎｎｅｃｔｉｏｎＲｅｑｕｅｓｔメッセージ（図示せず）は、上記で説明した情報の大部分（たとえば、ホワイト／ブラックリスト、要求の理由など）を含むことができる。ｅＮＢは、そのＲＲＣＣｏｎｎｅｃｔｉｏｎＲｅｑｕｅｓｔメッセージ中の情報を使用して、共存問題が存在することを知り、ＬＴＥアクティビティが開始されたときに共存問題を低減または最小化するための構成をＵＥに割り当てる。
【００８１】
ＲＲＣ接続の準備がまだできていないときの一例には、ユーザが現在通話を行っていないシナリオがある。ユーザが呼を発すると、ＲＲＣ接続が確立される。ＲＲＣ接続の準備ができているときの一例には、ユーザが現在確定された呼にあるシナリオがある。いずれの場合も、ＲＲＣ接続の準備ができているかどうかに基づいて、適切なメッセージが選択される。また、いずれの場合も、ユーザが呼にある間にＢｌｕｅｔｏｏｔｈを使用すると、共存問題が現れ得る。
【００８２】
別の例では、ブラインドハンドオーバが要求されるおよび／または可能にされ得る。従来のＬＴＥでは、ハンドオーバは、ｅＮＢが近隣チャネル中の干渉の測定を実行するようにＵＥに命令したときにｅＮＢによって開始される。ＵＥが、サービングｅＮＢに対応するダウンリンク情報を送信せず、処理しない測定ギャップ中にＵＥはそのような測定を行う。ＵＥは、その測定ギャップ後に測定データをｅＮＢに報告する。従来のＬＴＥでは、ｅＮＢがその報告されたデータを使用してハンドオーバ用のチャネルを選択する測定ギャップが終わった後に周波数間ハンドオーバが達成される。しかしながら、いくつかの本態様では、測定ギャップが生じなかった場合でも、ＵＥは、共存問題を知ることによって干渉情報を有する。ＵＥは、この干渉情報を使用してハンドオーバ用のチャネルまたはＲＡＴを提案することができる。したがって、いくつかの事例では、（測定ギャップが生じなかった場合）ブラインドハンドオーバが使用され得る。
【００８３】
さらに別の例では、ＵＥ１００３は、あるイベントが発生したとき、ｅＮＢにメッセージを送るように構成され得る。たとえば、ＬＴＥ転送が進行中であり、別の無線転送（たとえば、Ｂｌｕｅｔｏｏｔｈ）がアクティブになった場合、ＵＥ１００３は再構成要求メッセージを送ることができる。別の無線転送（たとえば、Ｂｌｕｅｔｏｏｔｈ）が進行中であり、ＬＴＥがアクティブになった場合、いくつかのリソースについての要求を含む接続要求メッセージが送られ得る。さらに、条件が終了した後（たとえば、ＢｌｕｅｔｏｏｔｈまたはＷＬＡＮがオフになった後）、共存の原因がもはや存在しないことをｅＮＢ１００５に警告するメッセージ（図示せず）がＵＥ１００３によってｅＮＢ１００５に送られ得、いくつかの事例ではそれによってリソースが解放される。
【００８４】
図１１に、ワイヤレス通信システム内の複数無線機共存機能の実装を可能にする方法１１００を示す。ブロック１１０２において、共存問題が存在する１つまたは複数のリソースを識別する。この識別は、干渉により許容できないパフォーマンスが生じるかまたは生じることが予想されることを認識する。一例では、複数の無線機をもつデバイスは、干渉を検出する能力がある。追加または代替として、デバイスは、いくつかの無線機がいくつかのチャネルを使用したとき、共存問題が必ず存在することを知るようにプログラムされ得る。追加または代替として、デバイスは、同時に動作しているいくつかの無線機が共存問題を必ず有することを知るようにプログラムされ得る。共存問題は、たとえば、図６のＣｘＭ６４０によって識別され得る。ブロック１１０４において、共存問題が存在する（１つまたは複数の）リソースを示す情報を含むメッセージを基地局に送る。一実施形態では、共存問題が存在するリソースの１つまたは複数のセットを示す情報を含むハンドオーバ要求メッセージをサービングｅＮＢにサブミットする。一例では、ハンドオーバ要求は、上記で説明したメッセージなど、再構成要求メッセージまたは接続要求メッセージを含む。
【００８５】
図１２に、ワイヤレス通信システム内の複数無線機共存機能の実装を可能にする方法１２００を示す。方法１２００は、たとえば、ｅＮＢによって、詳細には、図１のコンピュータ１１５などのコンピュータによって実行され得る。ブロック１２０２において、ＵＥからメッセージを受信する。メッセージは、現在のリソース、たとえば、無線機の共存問題を示す。ブロック１２０４において、報告された共存問題に基づいて、現在のリソースを使用すべきかどうかを決定する。
【００８６】
一実施形態では、ＵＥからハンドオーバ要求および／またはパラメータ要求が受信され、許可される。一例では、要求は、被サービスＵＥによって利用されるリソースのセットが共存問題に関連すると判断したときに許可されるが、態様の範囲はそのように限定されない。たとえば、要求は、共存問題が存在するか否かにかかわらず、要求されたリソースが利用可能であると判断することを含む、何らかの理由で許可され得る。
【００８７】
図１３に、ワイヤレス通信システム内の複数無線機共存機能の実装を可能にする第２の方法１３００を示す。ブロック１３０２において、潜在的に衝突するサポートされる無線機を識別する。ブロック１３０４において、潜在的に衝突するサポートされる無線機の間の共存を改善するために利用されるべき測定ギャップおよび／またはＤＲＸモードに関係する１つまたは複数のパラメータを要求するメッセージをサービングｅＮＢにサブミットする。
【００８８】
図１４に、ワイヤレス通信システム内の複数無線機共存機能の実装を可能にする第３の方法１４００を示す。ブロック１４０２において、ｅＮＢとの通信に関連するＤＲＸタイムラインを識別する。ブロック１４０４において、ＤＲＸタイムライン上のあらかじめ定義されたしきい値を超えたｅＮＢへの送信を実質的に防ぐようにｅＮＢへの送信を管理する。
【００８９】
上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【００９０】
開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００９１】
情報および信号は多種多様な技術および技法のいずれかを使用して表され得ることを、当業者なら理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９２】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００９３】
本明細書で開示する態様に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９４】
本明細書で開示する態様に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９５】
開示する態様の前述の説明は、当業者が本開示を実施または使用できるようにするために与えたものである。これらの態様への様々な修正は当業者には容易に明らかであり、本明細書で定義した一般原理は、本開示の趣旨または範囲から逸脱することなく他の態様に適用され得る。したがって、本開示は、本明細書で示した態様に限定されるものではなく、本明細書で開示する原理および新規の特徴に一致する最も広い範囲を与られるべきである。
なお、以下に、出願当初の特許請求の範囲に記載された発明を付記する。
［Ｃ１］
ワイヤレス通信のための方法であって、
共存問題が存在する少なくとも１つの現在のリソースを識別することと、
前記少なくとも１つの現在のリソースの前記共存問題を示す情報を含むメッセージを基地局にサブミットすることと
を備える方法。
［Ｃ２］
前記情報は、前記共存問題が存在する前記少なくとも１つの現在のリソースを示す、Ｃ１に記載の方法。
［Ｃ３］
前記情報が、少なくとも１つの所望の将来のリソースの指示を含む、Ｃ１に記載の方法。
［Ｃ４］
前記情報は、前記共存問題が存在する周波数帯域のブラックリストと、前記共存問題が存在しない周波数帯域のホワイトリストとのうちの少なくとも１つを備える、Ｃ１に記載の方法。
［Ｃ５］
前記メッセージがハンドオーバ要求メッセージを備える、Ｃ１に記載の方法。
［Ｃ６］
前記ハンドオーバ要求メッセージが、周波数間ハンドオーバと無線アクセス技術間（ＲＡＴ間）ハンドオーバとのうちの少なくとも１つについての要求を備える、Ｃ５に記載の方法。
［Ｃ７］
前記情報は、前記共存問題が存在しない少なくとも１つの周波数帯域のホワイトリストを備え、前記メッセージは、前記少なくとも１つのホワイトリスト周波数帯域にハンドオーバするようにとの要求を備える、Ｃ１に記載の方法。
［Ｃ８］
前の共存問題がもはや存在しないことを示す第２のメッセージをさらに備える、Ｃ１に記載の方法。
［Ｃ９］
前記共存問題が、同じモバイル通信デバイスに関連する２つの異なる無線リソース間の干渉を備える、Ｃ１に記載の方法。
［Ｃ１０］
ワイヤレス通信システムにおいて動作可能な装置であって、
共存問題が存在する少なくとも１つの現在のリソースを識別するための手段と、
前記少なくとも１つの現在のリソースの前記共存問題を示す情報を含むメッセージを基地局にサブミットするための手段と
を備える装置。
［Ｃ１１］
前記情報が、少なくとも１つの所望の将来のリソースの指示を含む、Ｃ１０に記載の装置。
［Ｃ１２］
前記情報は、前記共存問題が存在する周波数帯域のブラックリストと、前記共存問題が存在しない周波数帯域のホワイトリストとのうちの少なくとも１つを備える、Ｃ１０に記載の装置。
［Ｃ１３］
前記メッセージがハンドオーバ要求メッセージを備える、Ｃ１０に記載の装置。
［Ｃ１４］
前記ハンドオーバ要求メッセージが、周波数間ハンドオーバと無線アクセス技術間（ＲＡＴ間）ハンドオーバとのうちの少なくとも１つについての要求を備える、Ｃ１３に記載の装置。
［Ｃ１５］
前記共存問題が、同じモバイル通信デバイスに関連する２つの異なる無線リソース間の干渉を備える、Ｃ１０に記載の装置。
［Ｃ１６］
共存問題が存在する少なくとも１つの現在のリソースを識別するためのコードと、
前記少なくとも１つの現在のリソースの前記共存問題を示す情報を含むメッセージを基地局にサブミットするためのコードと
を備えるコンピュータ可読媒体
を備える、コンピュータプログラム製品。
［Ｃ１７］
前記情報が、少なくとも１つの所望の将来のリソースの指示を含む、Ｃ１６に記載のコンピュータプログラム製品。
［Ｃ１８］
前記情報は、前記共存問題が存在する周波数帯域のブラックリストと、前記共存問題が存在しない周波数帯域のホワイトリストとのうちの少なくとも１つを備える、Ｃ１６に記載のコンピュータプログラム製品。
［Ｃ１９］
前記メッセージがハンドオーバ要求メッセージを備える、Ｃ１６に記載のコンピュータプログラム製品。
［Ｃ２０］
前記ハンドオーバ要求メッセージが、周波数間ハンドオーバと無線アクセス技術間（ＲＡＴ間）ハンドオーバとのうちの少なくとも１つについての要求を備える、Ｃ１９に記載のコンピュータプログラム製品。
［Ｃ２１］
前の共存問題がもはや存在しないことを示す第２のメッセージを送るためのコードをさらに備える、Ｃ１６に記載のコンピュータプログラム製品。
［Ｃ２２］
前記共存問題が、同じモバイル通信デバイスに関連する２つの異なる無線リソース間の干渉を備える、Ｃ１６に記載のコンピュータプログラム製品。
［Ｃ２３］
ワイヤレス通信システムにおいて動作可能な装置であって、
共存問題が存在する少なくとも１つの現在のリソースを識別することと、前記少なくとも１つの現在のリソースの前記共存問題を示す情報を含むメッセージを基地局にサブミットすることとを行うように構成された、プロセッサと、
前記プロセッサに結合された、データを記憶するためのメモリと
を備える装置。
［Ｃ２４］
前記情報が、少なくとも１つの所望の将来のリソースの指示を含む、Ｃ２３に記載の装置。
［Ｃ２５］
前記情報は、前記共存問題が存在する周波数帯域のブラックリストと、前記共存問題が存在しない周波数帯域のホワイトリストとのうちの少なくとも１つを備える、Ｃ２３に記載の装置。
［Ｃ２６］
前記メッセージがハンドオーバ要求メッセージを備える、Ｃ２３に記載の装置。
［Ｃ２７］
前記ハンドオーバ要求メッセージが、周波数間ハンドオーバと無線アクセス技術間（ＲＡＴ間）ハンドオーバとのうちの少なくとも１つについての要求を備える、Ｃ２６に記載の装置。
［Ｃ２８］
前記プロセッサは、前の共存問題がもはや存在しないことを示す第２のメッセージを送るようにさらに構成された、Ｃ２３に記載の装置。
［Ｃ２９］
前記共存問題が、同じモバイル通信デバイスに関連する２つの異なる無線リソース間の干渉を備える、Ｃ２３に記載の装置。
［Ｃ３０］
前記情報は、前記共存問題が存在しない少なくとも１つの周波数帯域のホワイトリストを備え、前記メッセージは、前記少なくとも１つのホワイトリスト周波数帯域にハンドオーバするようにとの要求を備える、Ｃ２３に記載の装置。
［Ｃ３１］
ワイヤレス通信の方法であって、
ユーザ機器（ＵＥ）からメッセージを受信することであって、前記メッセージが、前記ＵＥの現在のリソースの共存問題を示す情報を含む、受信することと、
前記受信されたメッセージに基づいて、前記現在のリソースを使用し続けるべきかどうかを決定することと
を備える方法。
［Ｃ３２］
前記メッセージがハンドオーバ要求を備える、Ｃ３１に記載の方法。
［Ｃ３３］
前記受信されたメッセージに基づいてハンドオーバを許可することをさらに備える、Ｃ３１に記載の方法。
［Ｃ３４］
前記情報が、少なくとも１つの所望の将来のリソースを含む、Ｃ３１に記載の方法。
［Ｃ３５］
前記情報は、前記共存問題が存在する周波数帯域のブラックリストと、前記共存問題が存在しない周波数帯域のホワイトリストとのうちの少なくとも１つを備える、Ｃ３１に記載の方法。
［Ｃ３６］
前記メッセージは、前の共存問題がもはや存在しないという指示を備える、Ｃ３１に記載の方法。
［Ｃ３７］
前記共存問題が、同じモバイル通信デバイスに関連する２つの異なる無線リソース間の干渉を備える、Ｃ３１に記載の方法。
［Ｃ３８］
前記情報は、前記共存問題が存在しない少なくとも１つの周波数帯域のホワイトリストを備え、前記メッセージは、前記少なくとも１つのホワイトリスト周波数帯域にハンドオーバするようにとの要求を備える、Ｃ３１に記載の方法。
［Ｃ３９］
ワイヤレス通信のためのシステムであって、
ユーザ機器（ＵＥ）からメッセージを受信するための手段であって、前記メッセージが、前記ＵＥの現在のリソースの共存問題を示す情報を含む、受信するための手段と、
前記受信されたメッセージに基づいて、前記現在のリソースを使用し続けるべきかどうかを決定するための手段と
を備えるシステム。
［Ｃ４０］
ワイヤレス通信のためのシステムであって、
メモリと、
前記メモリに結合されたプロセッサであって、
ユーザ機器（ＵＥ）からメッセージを受信することであって、前記メッセージが、前記ＵＥの現在のリソースの共存問題を示す情報を含む、受信することと、
前記受信されたメッセージに基づいて、前記現在のリソースを使用し続けるべきかどうかを決定することと
を行うように構成されたプロセッサと
を備えるシステム。
［Ｃ４１］
ワイヤレス通信のためのコンピュータ可読媒体上に有形に記憶されたコンピュータプログラムであって、前記媒体は、
ユーザ機器（ＵＥ）からメッセージを受信するためのコードであって、前記メッセージが、前記ＵＥの現在のリソースの共存問題を示す情報を含む、コードと、
前記受信されたメッセージに基づいて、前記現在のリソースを使用し続けるべきかどうかを決定するためのコードと
を備える、コンピュータプログラム。
【図１】
0005583838.tif 000002
【図２】
0005583838.tif 000003
【図３】
0005583838.tif 000004
【図４】
0005583838.tif 000005
【図５】
0005583838.tif 000006
【図６】
0005583838.tif 000007
【図７】
0005583838.tif 000008
【図８】
0005583838.tif 000009
【図９】
0005583838.tif 000010
【図１０】
0005583838.tif 000011
【図１１】
0005583838.tif 000012
【図１２】
0005583838.tif 000013
【図１３】
0005583838.tif 000014
【図１４】
0005583838.tif 000015